【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
各々の中心軸が互いに平行となると共に一の面内に含まれるように配置された複数の線状光源と、
前記各線状光源と対向配置された反射板と、
前記一の面に関して前記反射板の反対側に配置された平板状の拡散部材と、
前記各線状光源と前記拡散部材との間に配置された光学部材と
を備え、
前記光学部材は、
前記一の面に平行な光入射面と、
前記各線状光源と前記一の面の法線方向に対向する第１の領域に第１の立体構造を有すると共に、一の線状光源と前記一の線状光源に隣接する他の線状光源との間の中間領域と前記一の面の法線方向に対向する第２の領域に第２の立体構造を有する光射出面と
を有し、
前記各線状光源から前記光入射面に垂直に入射した光が前記第１の立体構造によって全反射され前記反射板に向かう戻り光を発生させる第１の部分が、前記光学部材を前記一の面の法線方向から見たときに前記第１の領域に占める割合をＫ１とし、前記各線状光源から前記光入射面に垂直に入射した光が前記第２の立体構造によって全反射され前記反射板に向かう戻り光を発生させる第２の部分が、前記光学部材を前記一の面の法線方向から見たときに前記第２の領域に占める割合をＫ２としたとき、Ｋ１およびＫ２は以下の式を満たす
照明装置。
Ｋ１−Ｋ２＞０
【請求項２】
前記第１の立体構造に接する接線と前記一の面とのなす角をφ１、前記第２の立体構造に接する接線と前記一の面とのなす角をφ２とすると、φ１およびφ２は、前記第１の部分および前記第２の部分において以下の式を満たす
請求項１に記載の照明装置。
３９≦φ１≦６９
３９≦φ２≦６９
【請求項３】
Ｋ１およびＫ２は以下の式を満たす
請求項１に記載の照明装置。
Ｋ１−Ｋ２≧０．０３
【請求項４】
Ｋ１およびＫ２は以下の式を満たす
請求項１に記載の照明装置。
Ｋ１−Ｋ２≧０．０６
【請求項５】
Ｋ１およびＫ２は以下の式を満たす
請求項１に記載の照明装置。
Ｋ１−Ｋ２≧０．１２
【請求項６】
Ｋ１およびＫ２は以下の式を満たす
請求項１に記載の照明装置。
Ｋ１−Ｋ２≧０．１５
【請求項７】
Ｋ２がゼロとなっている
請求項１に記載の照明装置。
【請求項８】
前記線状光源同士の間隔が３０ｍｍ以上となっている
請求項１に記載の照明装置。
【請求項９】
前記第１の立体構造は線状または錐体状の複数の第１の凸部を有し、
前記第２の立体構造は線状または錐体状の複数の第２の凸部を有する
請求項１に記載の照明装置。
【請求項１０】
前記第１の凸部に接する接線と前記一の面とのなす角をφ１、前記第２の凸部に接する接線と前記一の面とのなす角をφ２とすると、φ１およびφ２は、前記凸部の頂部から底部に向かうにつれて連続的または断続的に大きくなっている
請求項１に記載の照明装置。
【請求項１１】
前記第１の凸部および前記第２の凸部は傾斜平面を有する
請求項９に記載の照明装置。
【請求項１２】
前記第１の凸部および前記第２の凸部は非球面を有する
請求項９に記載の照明装置。
【請求項１３】
前記第１の凸部は傾斜平面を有し、
前記第２の凸部は非球面を有する
請求項９に記載の照明装置。
【請求項１４】
前記第１の凸部および前記第２の凸部は、頂部およびその近傍に凸状の曲面を有すると共に、それ以外の部分に前記曲面と滑らかに連続する傾斜平面を有する
請求項９に記載の照明装置。
【請求項１５】
前記第１の凸部の曲面の曲率が前記第２の凸部の曲面の曲率よりも小さくなっている
請求項１４に記載の照明装置。
【請求項１６】
前記第１の凸部の高さが前記第２の凸部の高さよりも高くなっている
請求項９に記載の照明装置。
【請求項１７】
前記第１の立体構造および前記第２の立体構造は、前記一の面と平行な１または複数の平坦面を有し、
前記第１の立体構造の平坦面が、前記光学部材を前記一の面の法線方向から見たときに前記第１の領域に占める割合をＫ３とし、前記第２の立体構造の平坦面が、前記光学部材を前記一の面の法線方向から見たときに前記第２の領域に占める割合をＫ４としたとき、Ｋ３およびＫ４は以下の式を満たす
請求項９に記載の照明装置。
Ｋ４−Ｋ３＞０
【請求項１８】
前記平坦面は前記第１の凸部および前記第２の凸部の非形成領域に形成されている
請求項１７に記載の照明装置。
【請求項１９】
前記平坦面は前記第２の凸部の頂部にも形成されている
請求項１８に記載の照明装置。
【請求項２０】
画像信号に基づいて駆動されるパネルと、
前記パネルを照明する照明装置と
を備え、
前記照明装置は、
各々の中心軸が互いに平行となると共に一の面内に含まれるように配置された複数の線状光源と、
前記各線状光源と対向配置された反射板と、
前記一の面に関して前記反射板の反対側に配置された平板状の拡散部材と、
前記各線状光源と前記拡散部材との間に配置された光学部材と
を有し、
前記光学部材は、
前記一の面に平行な光入射面と、
前記各線状光源と前記一の面の法線方向に対向する第１の領域に第１の立体構造を有すると共に、一の線状光源と前記一の線状光源に隣接する他の線状光源との間の中間領域と前記一の面の法線方向に対向する第２の領域に第２の立体構造を有する光射出面と
を有し、
前記各線状光源から前記光入射面に垂直に入射した光が前記第１の立体構造によって全反射され前記反射板に向かう戻り光を発生させる第１の部分が、前記光学部材を前記一の面の法線方向から見たときに前記第１の領域に占める割合をＫ１とし、前記各線状光源から前記光入射面に垂直に入射した光が前記第２の立体構造によって全反射され前記反射板に向かう戻り光を発生させる第２の部分が、前記光学部材を前記一の面の法線方向から見たときに前記第２の領域に占める割合をＫ２としたとき、Ｋ１およびＫ２は以下の式を満たす
表示装置。
Ｋ１−Ｋ２＞０
【手続補正２】
【補正対象書類名】明細書
【補正対象項目名】００１３
【補正方法】変更
【補正の内容】
【００１３】
この照明装置１は、複数の線状光源１０と、反射板１１と、拡散板１２と、光学シート１３（光学部材）と、拡散シート１４（拡散部材）とを備えたものである。反射板１１は、各線状光源１０の背後に、各線状光源１０と対向配置されており、拡散板１２、光学シート１３および拡散シート１４は、各線状光源１１に関して反射板１１の反対側に、各線状光源１１側からこの順に配置されると共に各線状光源１１と対向配置されている。
【手続補正３】
【補正対象書類名】明細書
【補正対象項目名】００１７
【補正方法】変更
【補正の内容】
【００１７】
ここで、板状またはフィルム状の透明樹脂には、例えばＰＥＴ、アクリルおよびポリカーボネートなどの光透過性熱可塑性樹脂が用いられる。上記拡散板１２に含まれる光拡散層は、例えば１ｍｍ以上５ｍｍ以下の厚みを有している。また、光拡散材は、例えば０．５μｍ以上１０μｍ以下の平均粒子径を有する粒子からなり、上記光拡散層全体の重量に対して０．１重量部以上１０重量部以下の範囲で透明樹脂中に分散されている。光拡散材の種類としては、例えば、有機フィラや無機フィラなどが挙げられるが、光拡散材として空洞性粒子を用いてもよい。これにより、この拡散板１２は、各線状光源１０からの光や光学シート１３側からの戻り光を拡散する機能を有している。
【手続補正４】
【補正対象書類名】図面
【補正対象項目名】図１
【補正方法】変更
【補正の内容】
【図１】
2009283365.tif 000001